(57)【要約】      （修正有）【課題】運搬・設置が容易で、大人の移動にも支障のないベビーゲートを提供する。【解決手段】本体マット１０の一面に、凹凸面１２が設けられており、凹凸面１２には、多数の突起１８が、乳幼児の掌２２のサイズの中に数個以上林立している。乳幼児が前進しながら本体マット１０の突起１８に触れるとそれ以上前進しないから、障壁の代わりになる。本体マット１０同士を相互に連結するための連結部１６が設けられていると、簡単に適当な幅で適当な広さに設置できる。本体マット１０の移動も容易である。【選択図】図１
0003163273.tif 000002
【実用新案登録請求の範囲】
【請求項１】
本体マット１０の一面に、凹凸面１２が設けられており、
凹凸面１２には、多数の突起１８が、乳幼児の掌２２のサイズの中に数個以上林立していることを特徴とする乳幼児移動制限敷物。
【請求項２】
請求項１に記載の乳幼児移動制限敷物において、
前記突起は、直径１ｍｍ以上で高さ３ｍｍ以上の円柱状または円筒状のものであって、２．５ｃｍ以下の間隔で規則的に配列されたプラスチック成型体であることを特徴とする乳幼児移動制限敷物。
【請求項３】
請求項１に記載の乳幼児移動制限敷物において、
前記突起は、高さ３ｍｍ以上の円錐状または多角錐状のものであって、その頂部が２．５ｃｍ以下の間隔で規則的に配列されたプラスチック成型体であることを特徴とする乳幼児移動制限敷物。
【請求項４】
請求項１に記載の乳幼児移動制限敷物において、
前記突起は、厚さ１ｍｍ以上で高さ３ｍｍ以上のリブ状のものであって、１ｃｍ以下の間隔で規則的に配列されたプラスチック成型体であることを特徴とする乳幼児移動制限敷物。
【請求項５】
請求項１乃至４のいずれかに記載の乳幼児移動制限敷物において、
本体マット１０の側縁には、本体マット１０同士を相互に連結するための連結部１６が設けられていることを特徴とする乳幼児移動制限敷物。
【請求項６】
請求項１乃至５のいずれかに記載の乳幼児移動制限敷物において、
本体マット１０の裏面にジョイント用マット１４が貼り付けられており、ジョイント用マット１４には、本体マット１０同士を相互に連結するための連結部１６が設けられていることを特徴とする乳幼児移動制限敷物。
【考案の詳細な説明】
【技術分野】
【０００１】
本考案は、乳幼児の移動を制限するための乳幼児移動制限敷物に関する。
【背景技術】
【０００２】
従来、キッチンや階段など危険が伴う場所に乳幼児が入ってこないように移動を制限するためベビーゲート等が使用されている。また、乳幼児を囲って別の場所へ行き来するのを防ぎ安全な遊び場所を確保するためにベビーサークル等が使用されている（特許文献１参照）。
【先行技術文献】
【特許文献】
【０００３】
【特許文献１】特開２００２−３２０５３６号公報
【考案の概要】
【考案が解決しようとする課題】
【０００４】
以上のような従来のベビー用品には、次のような解決すべき課題があった。
１．ベビーゲート等は、大人が移動する際には開閉が必要であり、煩わしい。
２．ベビーゲート等の場合は、両側に壁や柱など固定するための場所が必要であったり、間取り等で取り付け可能な場所に制限がある。
３．ベビーゲート等は、大人は比較的容易に開閉する事ができるが、子供が開閉をするのは困難である。
４．ベビーサークル等は、部屋の一部を占有してしまうため、部屋を有効に使用する事ができない。
５．ベビーゲート、ベビーサークル等は大きく、重いため持ち運びに向かない。
６．ベビーゲート、ベビーサークル等は設置に時間がかかる。
【課題を解決するための手段】
【０００５】
以下の構成はそれぞれ上記の課題を解決するための手段である。
〈構成１〉
本体マット１０の一面に、凹凸面１２が設けられており、凹凸面１２には、多数の突起１８が、乳幼児の掌２２のサイズの中に数個以上林立していることを特徴とする乳幼児移動制限敷物。
【０００６】
〈構成２〉
構成１に記載の乳幼児移動制限敷物において、前記突起は、直径１ｍｍ以上で高さ３ｍｍ以上の円柱状または円筒状のものであって、２．５ｃｍ以下の間隔で規則的に配列されたプラスチック成型体であることを特徴とする乳幼児移動制限敷物。
【０００７】
〈構成３〉
構成１に記載の乳幼児移動制限敷物において、前記突起は、高さ３ｍｍ以上の円錐状または多角錐状のものであって、その頂部が２．５ｃｍ以下の間隔で規則的に配列されたプラスチック成型体であることを特徴とする乳幼児移動制限敷物。
【０００８】
〈構成４〉
構成１に記載の乳幼児移動制限敷物において、前記突起は、厚さ１ｍｍ以上で高さ３ｍｍ以上のリブ状のものであって、１ｃｍ以下の間隔で規則的に配列されたプラスチック成型体であることを特徴とする乳幼児移動制限敷物。
【０００９】
〈構成５〉
構成１乃至４のいずれかに記載の乳幼児移動制限敷物において、本体マット１０の側縁には、本体マット１０同士を相互に連結するための連結部１６が設けられていることを特徴とする乳幼児移動制限敷物。
【００１０】
〈構成６〉
構成１乃至５のいずれかに記載の乳幼児移動制限敷物において、本体マット１０の裏面にジョイント用マット１４が貼り付けられており、ジョイント用マット１４には、本体マット１０同士を相互に連結するための連結部１６が設けられていることを特徴とする乳幼児移動制限敷物。
【考案の効果】
【００１１】
〈構成１の効果〉
乳幼児が前進しながら本体マット１０の突起１８に触れるとそれ以上前進しないから、障壁の代わりになる。
〈構成２の効果〉
プラスチック成型体であって、直径１ｍｍに満たないと、乳幼児の手に刺さる等危険であったり、柔軟すぎる。高さが３ｍｍに満たないと凹凸感が無くなる。間隔が２．５ｃｍを越えると、乳幼児の手が嵌り込む。
〈構成３の効果〉
先が尖った円錐状または多角錐状のものは、より効果が高い。
〈構成４の効果〉
リブ状の突起でも同様の効果がある。
〈構成５の効果〉
本体マット１０を必要な数だけ並べて連結できる。
〈構成６の効果〉
ジョイント用マット１４側に連結機能を設けても良い。
【図面の簡単な説明】
【００１２】
【図１】乳幼児移動制限敷物を示し、（a）は本体マット(b)は他面のジョイント用マットの斜視図である。
【図２】本体マットの断面図である。
【図３】乳幼児移動制限敷物を階段の下に置いたところの斜視図である。
【図４】乳幼児を本体マットで囲んだとこを示す斜視図である。
【図５】（a)(b)は、部屋を本体マットで区切ったとこを示す斜視図である。
【図６】コンセントの下に本体マットを置いた状態を示す斜視図である。
【図７】引き出しの下に本体マットを置いた状態を示す斜視図である。
【図８】本体マットの配置を工夫して設置した例を示す斜視図である。
【図９】本体マットをジョイントマットとして利用する例を示す斜視図である。
【考案を実施するための形態】
【００１３】
本考案の乳幼児移動制限敷物は、凹凸面１２と連結部１６とジョイント用マット１４とを備える。
本体の凹凸面１２は、複数の突起１８からなり、乳幼児が触れると不快感を感じるため乳幼児の移動の障壁として利用することができる。凹凸面１２には多数の突起１８が林立しており、突起１８の配列密度２２は乳幼児の掌２２のサイズに対して数個以上の密度である。突起１８の先端は鋭くなく、乳幼児が触れても怪我をすることはない形状である。
【００１４】
乳幼児が手に体重をかけ、はいはいをしたり、よちよち歩きで凹凸面１２上を移動しようとした時に手や足に突起１８が刺さることはない程度の断面積を有する突起である。突起１８の強度は、乳幼児が体重をかけた場合にも折れたり変形したりしない程度の強度である。
【００１５】
上記の条件を満たすため、例えば、突起１８は、直径１ｍｍ以上で高さ３ｍｍ以上の円柱状または円筒状のものであって、２．５ｃｍ以下の間隔で規則的に配列されたプラスチック成型体とする。また、例えば、突起は、高さ３ｍｍ以上の円錐状または多角錐状のものであって、その頂部が２．５ｃｍ以下の間隔で規則的に配列されたプラスチック成型体とする。また、突起１８は、厚さ１ｍｍ以上で高さ３ｍｍ以上のリブ状のものであって、１ｃｍ以下の間隔で規則的に配列されたプラスチック成型体とする。プラスチック成型体は低分子量ポリエチレンやシリコンゴム等の比較的柔軟なもので構わない。
【００１６】
連結部１６は、本体同士を連結するためにある。本体マット１０の裏面に貼られているジョイント用マット１４の連結部を利用しても良い。ジョイント用マット１４の連結部には様々な形状があるが、形状は任意である。この連結部を使用することにより、本体マット１０同士を簡単にかつ様々な形状に連結することができる。
【００１７】
本体マット１０の他面はジョイント用マット１４であるため裏返すことによって通常のジョイント用マットとして利用することができる。また、滑り止め加工のしてあるジョイントマット用マットを使用することにより本体マット１０を設置した際に設置場所からずれて移動するのを防ぐことができる。滑り止め加工のしていないジョイント用マットであっても、滑り止め用のゴムシート等を本体マット１０と床の間に敷くことによって本体マット１０が設置場所からずれることを防ぐことができる。
【実施例１】
【００１８】
（構造）
図１は乳幼児移動制限敷物を示し、（a）は本体マット(b)は他面のジョイント用マットの斜視図である。  図２は本体マットの断面図である。
実施例１、実施例２、実施例３では凹凸面１２は人工芝の裏面である。他面はジョイントマットであり、人工芝もジョイントマットも既知のものを使用できる。人工芝とジョイントマットは貼り合わせてある。
【００１９】
（使用方法）
図３は乳幼児移動制限敷物を階段の下に置いたところの斜視図である。
図３に示すように本体マット１０を複数枚連結させ、階段やキッチンなど危険が伴う場所に乳幼児が入ってこないように設置をする。乳幼児が前進し、この本体マット１０に触れると不快感を感じるためそれ以上前進しないので、障壁のかわりになる。また、子供や大人はこの本体マット１０があっても通行の妨げとならない。
【００２０】
ベビーゲート等の場合は、子供が開閉をするのが難しく、また大人の場合でも開閉が煩わしい。また、ベビーゲート等を設置するためには、両側に柱や壁が必要であったり、設置場所に関しての制限があるが、本体マット１０の場合には、本体マット１０同士を連結する事によりサイズを変更でき、かつ、設置に関しては床に置くだけであるので設置場所に関する制限がほとんどない。
【実施例２】
【００２１】
図４は、乳幼児を本体マット１０で囲んだとこを示す斜視図である。
図４に示すように本体マット１０を複数枚連結させ、囲いを作る。その中で乳幼児を遊ばせる。乳幼児は前進し、この本体マット１０に触れると不快感を感じるためそれ以上は前進しない。それにより乳幼児が別の場所に行くのを防ぎ、安全な遊び場所を確保する事ができる。また、本体マット１０は厚さ数センチメートルのため他の者の通行の妨げとなったり、圧迫感がない。
【００２２】
ベビーサークル等を用いて乳幼児の遊ぶ場所を確保した場合、部屋の一部を占有してしまうため、他の者の通行の妨げとなり、部屋を有効に使う事ができない。また、ベビーサークル等の柵の高さがあるため圧迫感を感じる。
【実施例３】
【００２３】
図５（a)(b)は、部屋を本体マット１０で区切ったとこを示す斜視図である。
図５（a）に示すように本体マット１０を複数枚連結させ、部屋を分ける。乳幼児が前進し、この本体マット１０に触れると不快感を感じるためそれ以上前進しないので、障壁のかわりになり乳幼児を部屋の一部分から移動しないようにすることができる。また、子供や大人はこの本体マット１０があっても通行の妨げとならない。
【００２４】
このように部屋を分けることにより、年齢の違う子供がいる場合、それぞれに遊ぶスペースを確保する。次の様な場合に有効である。幼児が数センチメートル程度のブロックで遊んでいる場合、一緒に乳幼児が同じスペースで遊ぶとブロックを飲み込んでしまったりと、誤飲事故となる可能性がある。また、幼児がブロックで作成した作品を乳幼児が壊してしまい喧嘩になってしまうこともある。そのような場合にそれぞれ遊ぶスペースを確保することでお互いストレスなく快適に遊ぶことができる。
【００２５】
また、図５（b）に示すように部屋を分けることもできる。本体マット１０の枚数や連結方法により、様々な形状で設置することができる。本体マット１０は、軽く持ち運びにも適しているため自宅だけではなく、乳幼児を連れて行く、実家や知人宅等でも利用する事が可能である。ベビーサークル等の場合は、乳幼児の遊ぶスペースを確保することはできるが、乳幼児の人数や部屋のレイアウト等によって形状を変更する柔軟性はなく、かつ大きく持ち運びに適さない為、他の場所に持って行き、設置するには適さない。
【実施例４】
【００２６】
図６は、コンセントの下に本体マット１０を置いた状態を示す斜視図である。
図６に示すように本体マット１０をコンセントなど乳幼児が触れると危険な場所の下に設置することによって乳幼児が近づきたがらないようにすることができる。また、大人がコンセントを使用する時にも邪魔にならない。市販のコンセントカバーの場合、コンセントを使用する際に使用する際にコンセントカバーを外す必要があり、煩わしい。また、コンセントを使用した後、コンセントカバーをつけ忘れる可能性がある。
【実施例５】
【００２７】
図７は、引き出しの下に本体マット１０を置いた状態を示す斜視図である。
図７に示すように本体マット１０を引き出しや棚など乳幼児が開閉しないようにしたい場所や、収納物で怪我や事故を防ぐために本体マット１０を設置することによって乳幼児が近づきたがらないようにすることができる。また、大人が引き出し、棚等を使用する際には邪魔にならない。市販の引き出しロックや引き戸ロックなどを使用した場合開閉の際にそれらのロックを解除する必要があり煩わしい。
【実施例６】
【００２８】
図８は、本体マット１０の配置を工夫して設置した例を示す斜視図である。
図８に示すように本体マット１０を複数枚連結することにより、乳幼児の移動をより確実に制限することが出来る。乳幼児は、本体マット１０を大人や幼児が跨いで通行したり、本体マット１０の上に乗っているのを見ることにより、学習し本体マット１０を通過することを試みる場合がある。本体マット１０の幅が乳幼児のハイハイの手幅の間隔やよちよち歩きの歩幅の間隔に対して狭い場合は通り抜けてしまう場合がある。また、多少広い場合でもまれに本体マット１０を通過する際の不快感を我慢し通り抜けてしまう場合がある。そのような場合には本体マット１０を連結し、乳幼児が通過する方向の幅を広げることによってより確実に乳幼児の移動を制限することが出来る。
【実施例７】
【００２９】
図９は、本体マット１０をジョイントマットとして利用する例を示す斜視図である。
図９に示すように本体マット１０の片面はジョイントマットであるためジョイントマット側を連結させて、市販のジョイントマットと同様に使用する事ができる。
【符号の説明】
【００３０】
１０  本体マット
１２  凹凸面
１４  ジョイント用マット
１６  連結部
１８  突起
２０  配列密度
２２  乳幼児の掌
【図１】
0003163273.tif 000003
【図２】
0003163273.tif 000004
【図３】
0003163273.tif 000005
【図４】
0003163273.tif 000006
【図５】
0003163273.tif 000007
【図６】
0003163273.tif 000008
【図７】
0003163273.tif 000009
【図８】
0003163273.tif 000010
【図９】
0003163273.tif 000011